(57)【要約】【課題】  従来のモルタル笠木を施工する方法には、待機時間・型枠設置時間等にかなりの時間を必要とし、また施工不良等によるモルタル笠木の破損等が考えられた。【解決手段】  従来の作業工程に含まれる型枠工法を排除し、ブロック等により塀を構築する工程内において、本発明ブロック塀等用凸型モルタル笠木施工用ジグを使用して凸型モルタル笠木を形成する。【選択図】図１５
2011226232.tif 000002
【特許請求の範囲】
【請求項１】
ブロック等により構築された塀の上部（１４−１）を長手方向矢印（Ｈ）方向にジグの施工可能寸法（Ｌ３）を繰り返し移動しながら、幅（Ｈ２）×厚さ（ｔ１）×ブロック塀等全長のモルタル笠木を形成することの出来る、金属材料と合成樹脂材料とで構成されるブロック塀等用凸形モルタル笠木施工用ジグ。図１・図２・図３・図４・図１５（１５−１）・図１６
【請求項２】
請求項１のブロック塀等用モルタル笠木施工用ジグに、（７−４）（７−５）（７−６）範囲内にあるボルトが自由に移動できる長穴と、それを固定出来るボルトとナット（７−１）（７−２）（７−３）の構成により、矢印（Ｇ）方向に広がり、ブロック塀の幅（ｔ３）が異なる場合でもモルタル笠木幅寸法（Ｈ４）を自在に調節出来る機能を持たせたブロック塀等用凸形モルタル笠木施工用ジグ。図５・図６・図７・図８・図１５（１５−２）・図１７
【発明の詳細な説明】
【技術分野】
【０００１】  本発明は、ブロック等により構築された塀の上部に設けられる凸形モルタル笠木を施工するジグに関するものである（凸形とは、塀の上面に笠木を形成した時の断面形状による）。
【背景技術】
【０００２】  従来のモルタル笠木は、ブロック塀等を施工し充填モルタル等が硬化後、塀全体に木製型枠を釘や補強材を用いて設置し、剥離剤を型枠に散布し防水モルタルを打設してモルタル笠木を形成する方法が知られている。また図１２のような笠木ブロックをモルタル等を用いて、ブロック塀等の上部に固定する方法もある。
【発明の概要】
【発明が解決しようとする課題】
【０００３】  以上に述べた従来の型枠等を設置してモルタル笠木を施工する方法においては、充填モルタル等が硬化後に型枠設置作業を行うため、型枠設置作業着手までに待機時間があり、また型枠設置にもかなりの時間を必要とした。その為、打ち継ぎによる雨水の浸透が考えられた。他の不具合として型枠設置不良等によるはらみや段差、また型枠解体時のモルタル笠木の破損等も挙げられる。【０００４】  従来、ブロック塀等の天端処理には、充填モルタルを平らに均す方法や、図１２のような笠木ブロックをモルタル等を用いて固定する方法があるが、フェンス等を施工する場合笠木ブロックは使用できない。一方、フェンス等を施工しない場合においては、笠木ブロックを使用することが多いが建築物の建築様式等によっては、景観に合わない場合もある。【０００５】  本発明は、このような従来の笠木を形成しようとする施工方法が有していた問題を解決しようとするものであり作業工程・工期の短縮、施工コストの低廉化を実現するものである。
【課題を解決するための手段】
【０００６】  本発明者は、上記事情を考え検討を重ねた結果、従来の作業工程に含まれる型枠工法を排除し、ブロック等により塀を構築する工程内においてブロック塀等用凸形モルタル笠木施工用ジグを使用して、凸形モルタル笠木を形成する事により、所期の目的を達成出来た。【０００７】  また、フェンス等を施工する場合も、フェンス支柱を施工した後に、ブロック塀等用凸形モルタル笠木施工用ジグを使用して凸形モルタル笠木を形成する事が出来る。
【発明の効果】
【０００８】  本発明である、ブロック塀等用凸形モルタル笠木施工用ジグを使用する事によって従来の型枠工法を行程から排除した事により、型枠設置作業着手までの待機時間や型枠設置等の時間が省け、作業工程が短縮できそれに伴い作業工期の短縮も図られる。【０００９】  また、ブロック塀を構築する同一行程で凸形モルタル笠木を形成出来る為、打ち継ぎによる雨水の浸透も回避できる。【００１０】  上記のように、型枠を使用しない為、型枠設置不良等によるはらみや段差、型枠解体時のモルタル笠木の破損等も回避でき、また型枠等に使用する材料費も削減できる。【００１１】  さらに、フェンス等を施工する場合も、フェンス下部に凸形モルタル笠木を用いることで景観も向上する。
【図面の簡単な説明】
【００１２】
【図１】  請求項１に係る本発明の正面図
【図２】  図３における範囲（Ｂ）の拡大図
【図３】  請求項１に係る本発明の平面図
【図４】  請求項１に係る本発明の右側面図
【図５】  請求項２に係る本発明の正面図
【図５−１】  図８における範囲（７−６）矢視（Ｉ）の分解図
【図６】  図７における（Ｆ−Ｆ）断面図
【図７】  請求項２に係る本発明の平面図
【図８】  請求項２に係る本発明の左側面図
【図９】  凸型モルタル笠木完成状況斜視図
【図１０】  横筋用ブロック斜視図
【図１１】  横筋用コーナーブロック斜視図
【図１２】  笠木ブロック斜視図
【図１３】  実施形態を示す上面図
【図１４】  実施形態を示す側面図
【図１５】  （１５−１図）請求項１に係る本発明の斜視図  （１５−２図）請求項２に係る本発明の斜視図  （１５−３図）図８範囲（７−６）の斜視図
【図１６】  請求項１に係る本発明の構成部品図
【図１７】  請求項２に係る本発明の構成部品図
【発明を実施するための形態】
【００１３】  以下、ブロック塀等用凸形モルタル笠木施工用ジグ（凸形モルタル笠木施工用ジグと記す）の構成及び使用方法の実施の形態について、図面を参照して説明する。
【００１４】  図１・図２・図３・図４・図１５（１５−１）・図１６は請求項１に係る本発明凸形モルタル笠木施工用ジグの構成を示す図面である。以下に構成の形態を図面に沿って説明していく。構成する材料は、金属材料と合成樹脂材料であり融着または貼着する事によって形成され、金属材料は融着後塗装を行う。
【００１５】  その内容は、アングル（１６−１）（１６−８）の底面（１−１）に直角な面（１−３）（１−４）を幅（ｔ２＋Ｈ２＋ｔ２）の間隔で対峙し平行に設置する、その長手方向の面（２−１）に端板（１６−４）の面（２−２）を当接し、当接面を融着する。次に、コの字形に形成された（１６−１）（１６−８）（１６−４）のアングル（１６−１）（１６−８）の長手方向と底面（１−１）に対して直角に、また長手方向の位置はバランスのいい位置で、補強兼取っ手である（１６−５）（１６−６）を面（１−２）（１−５）に合わせ渡設し、接合面を融着する。その後、アングル（１６−１）の面（１−３）に樹脂材料２（１６−２）の幅（ｔ２）を底面（１−１）に合わせ長手方向の端面を面（２−１）に当接し接着剤により貼着する、同様に樹脂材料１（１６−７）とアングル（１６−８）も貼着する。また端板（１６−４）の面（２−１）に樹脂材料３（１６−３）を幅（ｔ２）を底面（１−１）に合わせ貼着する。以上によって請求項１に係る凸型モルタル笠木施工用ジグは形成される。（参考：重量は、Ｌ１×Ｈ２×ｔ１を１０００ｍｍ×８０ｍｍ×１０ｍｍとした場合１．７ｋｇ前後である）
【００１６】  図５・図５−１・図６・図７・図８・図１５（１５−２）・図１７は請求項２に係る本発明凸型モルタル笠木施工用ジグの構成を示す図面である以下に構成の形態を図面に沿って説明していく。
【００１７】  構成する材料は、ボルト・ナット・ワッシャと金属材料・合成樹脂材料であり、螺着・融着・貼着する事によって形成され、金属材料は融着後塗装を行う。また長穴とボルト・ナットの構成により幅寸法（Ｈ４）を自在に調整できる機能を持つ。
【００１８】  その内容は、アングル（１７−１）とネジ穴付き端板（１７−４）の螺刻していない面の端面を面（５−１２）に合わせ面（５−１）に平行に、また面（５−８）と面（５−１２）が直角になるように当接し、当接面を融着する。次に、ネジ穴付きアングル１（１７−６）を面（５−５）面（５−６）に合わせアングル（１７−１）の長手方向はバランスの良い位置に接合し、接合面を融着する。また、ねネジ付きアングル２（１７−６）も同様にアングル（１７−１）に融着する。次に、ネジ穴付き端板（５−４）に当接し面（５−８）に貼着する。樹脂材料１（１７−２）の幅（ｔ２）を面（５−１）に合わせ上記で貼着した樹脂材料３（１７−３）に当接しアングル（１７−１）の面（５−４）に貼着する。以上によって図（５−１）の（Ｋ）の部品が形成される。
【００１９】  次に、長穴付き成形体（１７−７）を面（５−７）（５−２）（５−１１）に合わせ面（５−９）をアングル（１７−８）に直角に接合し、接合面を融着する。次に、長穴付きアングル１（１７−５）を面（５−２）面（５−７）に合わせアングル（１７−８）の長手方向はバランスのいい位置に接合し、接合面を融着する。また長穴付きアングル２（１７−６）も同様にアングル（１７−８）に融着する。次に、アングル（１７−８）に幅（ｔ２）を面（５−１）に合わせた樹脂材料２（１７−２）を面（５−３）に貼着する。以上によって図（５−１）の（Ｊ）部品が形成される。
【００２０】  上記の部品（Ｊ）（Ｋ）において部品（Ｋ）を部品（Ｊ）の矢印（Ｌ）の方向で面（５−９）と面（５−１０）を整合そして滑合し、部品（Ｊ）の長穴部分（７−４）（７−５）（７−６）に螺刻した部分を合わせボルト１・２・３（１７−９）を螺着する、ワッシャ１・２・３（１７−１１）を付着し、ナット１・２・３（１７−１０）を螺合する。以上によって請求項２に係る凸型モルタル笠木施工用ジグは形成される。
【実施例】
【００２１】  図１３図１４は請求項１・２に係る本発明凸型モルタル笠木施工用ジグの使用方法を示す図面である。以下に、実施の形態を図面に沿って説明していく。【００２２】  天端ブロックに横筋用ブロック（９−４）と横筋用コーナーブロック（９−３）を使用して充填モルタルを打設しブロック塀等を構築する。その同じ作業内において充填モルタルが硬化する前に、第一行程として凸型モルタル笠木施工用ジグ（１３−４）をブロック塀等の上面（１４−１）に沿わせブロック塀等の幅（ｔ３）に笠木幅（Ｈ２）が均等でかつブロック塀等の側面（１３−３）に平行になるようにジグの自重及び手で繋止し、幅（Ｈ２）厚み（ｔ１）長さ・面（１３−５）までになるようにモルタルを打設し上面をコテで均しモルタル笠木（１３−１）を形成する。【００２３】  第二工程として、充填モルタルが硬化する前に凸型モルタル笠木施工用ジグ（１３−４）を取り外すが、モルタルとの接触面に樹脂材料を使用しているため、モルタルとの離脱性が良く、凸型モルタル笠木施工用ジグ（１３−４）を容易に取り外すことが出来る。次に、形成したモルタル笠木（１３−１）の幅（Ｈ２）に凸型モルタル笠木施工用ジグ（１３−４）の幅（Ｈ２）を内設させ、長さ（Ｌ２）を重複し、ブロック塀等の上面（１４−１）に沿わせてブロック塀等の幅（ｔ３）に笠木幅（Ｈ２）が均等でかつブロック塀等の側面（１３−３）に平行になるように、ジグの自重及び手で繋止し、幅（Ｈ２）厚み（ｔ１）長さ・面（１３−２）になる様にモルタルを打設し上面をコテで均し、幅（Ｈ２）厚み（ｔ１）長さ（Ｌ３）の凸型モルタル笠木を形成する。【００２４】  このように、第二行程の施工可能寸法（Ｌ３）を繰り返し矢印（Ｈ）の方向へ進みブロック塀の全長を、凸型モルタル笠木で形成するものである。【００２５】  以上詳しく説明した通りであるが、請求項２に係る凸型モルタル笠木施工用ジグは、ブロック塀等の幅（ｔ３）が異なる場合でも笠木幅（Ｈ４）を自在に調整できる機能があり、その内容は、図面７の（７−４）（７−５）（７−６）の範囲内にあるボルト（１７−９）とそのボルトが自由に移動できる長穴とそれを固定できるナット（１７−１０）によって矢印（Ｇ）方向に広げたり、逆に狭めたりすることが出来る。
【符号の説明】
【００２６】
2011226232.tif 000003
７−１          ボルト・ナット・長穴
７−２          ボルト・ナット・長穴
７−３          ボルト・ナット・長穴
７−４          調節機能の範囲
７−５          調節機能の範囲
７−６          調節機能の範囲
９−１          凸型モルタル笠木
９−２          フェンス支柱
９−３          横筋用コーナーブロック
９−４          横筋用ブロック
１３−１        第一行程で形成した凸型モルタル笠木
１３−４        凸型モルタル笠木施工用ジグの略図
Ｈ              矢視方向
Ｊ              分解部品
Ｋ              分解部品
ｔ１            樹脂材料の厚み
ｔ２            樹脂材料の幅
ｔ３            ブロック幅（１００ｍｍ・１２０ｍｍ・１５０ｍｍ等）
ｔ４            笠木ブロック幅
Ｈ１            請求項１に係るジグ幅
Ｈ２            請求項１に係るジグ内幅及びモルタル笠木幅
Ｈ３            請求項２に係るジグ幅
Ｈ４            請求項２に係るジグ内幅及びモルタル笠木幅
Ｈ５            ブロック厚み（１９０ｍｍ）
Ｈ６            笠木ブロック厚み
Ｌ１            請求項１・請求項２に係るジグ全長
Ｌ２            重なり代
Ｌ３            施工可能寸法
Ｌ４            ブロック全長（４００ｍｍ）
Ｌ５            笠木ブロック全長
【図１】
2011226232.tif 000004
【図２】
2011226232.tif 000005
【図３】
2011226232.tif 000006
【図４】
2011226232.tif 000007
【図５】
2011226232.tif 000008
【図５−１】
2011226232.tif 000009
【図６】
2011226232.tif 000010
【図７】
2011226232.tif 000011
【図８】
2011226232.tif 000012
【図９】
2011226232.tif 000013
【図１０】
2011226232.tif 000014
【図１１】
2011226232.tif 000015
【図１２】
2011226232.tif 000016
【図１３】
2011226232.tif 000017
【図１４】
2011226232.tif 000018
【図１５】
2011226232.tif 000019
【図１６】
2011226232.tif 000020
【図１７】
2011226232.tif 000021